Podtech/llm-jp-corpus-v4-ja_patent huggingface dataset:
(57)【要約】      （修正有）【課題】持ち運びの手軽さと、使用中の汚れを気にせず使用出来、使用後は使い捨てに出来るエプロンを提供する。【解決手段】ポリエチレンフィルムを使用した一体型の使い捨てエプロンであって、シート部２に首紐部３、溶断シール部４、ポケット部５を設けた。【選択図】図１
0003214781.tif 000002
【実用新案登録請求の範囲】
【考案の詳細な説明】
【技術分野】
【０００１】本考案はポリエチレンフィルムを使用し一枚のシートの状態から、本体部、首紐部、ポケット部を設け一体化することにより、従来無かった使い捨てエプロンを提供する。
【背景技術】
【０００２】従来、エプロンとして製造、販売されている商品は、布、金具を使用した物が主流である。その際上記の素材を使用した商品は持ち運びの不便さがあり、また洗濯等の理由から維持にも費用がかかるため、使用する度に汚れてしまうような場合、使い捨てのできる他の素材を用いての商品の開発が望まれていた。
【非特許文献１】ｈｔｔｐ／／：ｗｗｗ．ｕｃｈｉｗａ．ｉｎｆｏ／
【０００３】また布製の場合、性質上、汚れを吸収してしまうため、シミになりやすいことから、汚れを弾く素材を用いての商品開発や食べかす等が床に落ちてしまうのを防ぐための、手段を用いた商品の開発が望まれていた。
【考案の概要】
【考案が解決しようとする課題】
【０００４】解決しようとする課題は、ポリエチレンフィルムを使用した一体型のエプロンを提供し、持ち運びの手軽さと、使用中の汚れを気にせず使用出来、使用後は使い捨てに出来るエプロンを提供する。
【課題を解決するための手段】
【０００５】使い捨てエプロン（１）において、シート部（２）に首紐部（３）、溶断シール部（４）、ポケット部（５）を設けた使い捨てエプロンを提供する。
【考案の効果】
【０００６】本考案によれば、シート部（２）に首紐部（３）、溶断シール部（４）、ポケット部（５）を設ける事により、１枚のシートからエプロンの形状を形成し、シート部（２）がポリエチレンフィルムを使用している為、汚れを吸い込まず使用出来、首紐部（３）を紐の変わりに使用出来、シート部（２）の左右に溶断シール部（４）を設けたことにより、ポケット部（５）を形成する事が可能である。
【考案を実施するための最良の形態】
【０００７】使い捨てエプロン（１）において、シート部（２）に首紐部（３）、溶断シール部（４）、ポケット部（５）を設けた使い捨てエプロンを提供する。【０００８】図１は本考案の表面図を表した物である。本考案は１枚のポリエチレンフィルムに切り込みを入れ、シート部（２）に首紐部（３）、溶断シール部（４）、ポケット部（５）を設け、シート部（２）の左右に溶断シール部（４）を設けた事により、ポケット部（５）を形成する事が可能になり、ポケット部（５）の隙間にポケットとしての機能を持たせる事が可能になる。
【図面の簡単な説明】
【０００９】
【図１】本考案の表面図である。
【図２】本考案の使用図である。
【符号の説明】
【００１０】１  使い捨てエプロン
２  シート部
３  首紐部
４  溶断シール部
５  ポケット部
【図１】
0003214781.tif 000003
【図２】
0003214781.tif 000004
【手続補正書】
【提出日】平成29年10月3日(2017.10.3)
【手続補正１】
【補正対象書類名】実用新案登録請求の範囲
【補正対象項目名】全文
【補正方法】変更
【補正の内容】
【実用新案登録請求の範囲】
【請求項１】
使い捨てエプロン（１）において、シート部（２）に首紐部（３）、溶断シール部（４）、ポケット部（５）を設けた使い捨てエプロンを提供する。
(57)【要約】      （修正有）【課題】有効摩擦係数を上げつつ肌に優しいサーフボード滑り止めシートを提供する。【解決手段】サーフボード滑り止めシートであって、ビロード状のシートが網目状に切り抜かれ、形成された穴のうち任意の穴に、厚みの違うシートを入れることにより、肌に優しく、エンボス効果を持たせてグリップ力を変えることを特徴とする。【選択図】図１
0003214785.tif 000002
【実用新案登録請求の範囲】
【請求項１】
網目状のサーフボード滑り止めシート
【請求項２】
グリップ力を変えられるサーフボード滑り止めシート
【考案の詳細な説明】
【技術分野】
【０００１】本考案は、サーフボードの滑り止めに使用するシートを、凹凸面にも貼りやすく、好みに合わせてグリップ力を変えられるようした物である
【背景技術】
【０００２】従来のサーフボード用滑り止めシートは、表面をエンボス加工したり細かな突起を付けたりして滑り止めをしていたが、グリップ力を高くすると擦れて皮膚がいたくなったり、ウエットスーツが傷んだりした。
また凹凸を少なくするとグリップ力が弱くなってしまった。
本考案は、表面がビロード状の滑り止めシートを網目状にする事により、肌やウエットスーツの摩耗を抑えつつ滑り止め効果を高くした。
また、予備パーツでグリップ力を強くしたい場所を好みに合わせて変える事が可能にした。
さらに、従来の滑り止めシートは１枚の面になっているため、凹凸が有る面では貼り難くかった。
本製品は網目状になっているため、凹凸にも対応が出来、貼りやすい。
【考案の開示】
【考案が解決しようとする課題】
【０００３】解決しようとする問題は、サーフボード用滑り止めのグリップ力と、擦れ防止を両立させる事である
【課題を解決するための手段】
【０００４】本考案は滑り止めシートをハニカム形状や円形状などの多角形な網目に切り抜き、任意の抜いた穴に厚みの違うシートを入れる事により、好きな場所にエンボス効果を持たせグリップ力を高める事が出来る。
【考案の効果】
【０００５】本考案の滑り止めは、ビロード状の滑り止めシートを網目状に加工する事により、肌やウエットスーツの摩耗は少ないのに、滑り止め効果は上がり、凹凸面にも貼りやすい利点がある。
【考案を実施するための最良の形態】
【０００６】滑り止めシートをハニカム状に切り抜き網目状の形態を持たせる。
【産業上の利用可能性】
【０００７】本考案はサーフボードだけでは無く、お風呂やプールなど水に濡れて滑りやすい場所で使えます。
【実施例】
【０００８】以下、添付図面に従って一実施例を説明する。図１の▲ア▼は滑り止め本体、▲イ▼は網目状の空間。図２の（ａ）（ｅ）（ｆ）は滑り止め本体の異なる形状。（ｂ）（ｃ）は▲イ▼の空間に入れてエンボス効果を持たせる為のパーツである。
【図面の簡単な説明】
【０００９】
【図１】本考案の平面図
【図２】（ａ）本考案にパーツを付けた別パターン  （ｂ）本考案のパーツ正面図  （ｃ）本考案のパーツ側面図  （ｄ）本考案（ａ）の側面図  （ｅ）（ｆ）本考案の別形状
【符号の説明】
【００１０】▲ア▼  滑り止め本体
▲イ▼  網目状の空間
【図１】
0003214785.tif 000003
【図２】
0003214785.tif 000004
【手続補正書】
【提出日】平成29年11月9日(2017.11.9)
【手続補正１】
【補正対象書類名】実用新案登録請求の範囲
【補正対象項目名】全文
【補正方法】変更
【補正の内容】
【実用新案登録請求の範囲】
【請求項１】
網目状のサーフボード滑り止めシートであって、網目状に切り抜かれた際に形成された穴のうち任意の穴に、厚みの違うシートを入れることにより、グリップ力を変えることが可能であることを特徴とする網目状のサーフボード滑り止めシート。
(57)【要約】      （修正有）【課題】メッシュで蓋のついた歯ブラシスタンドを提供する。【解決手段】歯ブラシスタンドの背板、両側板５、正面板６、底板７、及び両蓋８、９がメッシュ素材であり、前記両蓋は、天井部の蓋８、正面開口部の蓋９から成り、箱型の形状にしている。これにより、通気性を良くし、カビの発生を防いでいる。又、虫、髪の毛、ほこり等が侵入しないようにしている。【選択図】図１
0003214783.tif 000002
【実用新案登録請求の範囲】
【請求項１】
歯ブラシスタンド内の通気性を確保するため、正面板、背板、両側面、底板、両蓋を、メッシュ素材で、箱型に形状にしている事を特徴としている、メッシュで蓋のついた歯ブラシスタンド。
【請求項２】
歯ブラシスタンドの両蓋を閉じると、内枠と外枠が接触して、すき間をふさぐため、虫、髪の毛、ほこり等の侵入を防ぐことを特徴とする請求項１に記載のメッシュで蓋の付いた歯ブラシスタンド。
【請求項３】
使用に供する歯ブラシを歯ブラシ板に立てて収納でき、又、歯ブラシ板は前後にスライドすることが出来る。さらに歯ブラシ板は容易に着脱出来ることを特徴とする請求項１、又は、請求項２に記載のメッシュで蓋の付いた歯ブラシスタンド。
【考案の詳細な説明】
【技術分野】
【０００１】  本考案は、歯ブラシスタンドをメッシュにし、蓋を取り付けた事に関する。
【背景技術】
【０００２】  従来の歯ブラシスタンドは、プラスチック等の素材で作成されている物が多く、通気性が悪く、使用後の歯ブラシが水分を含んで乾きにくい。このようなことから、歯ブラシ、歯ブラシスタンドにカビが発生する事があった。又、蓋がなく構造が解放的なため、虫、髪の毛、ほこりが侵入しやすいという問題があった。
【先行技術文献】
【特許文献】
【０００３】
【特許文献１】実用新案登録Ｕ３０７３１０８号  公報
【考案の概要】
【考案が解決しようとする課題】
【０００４】  以上に述べた従来の歯ブラシスタンドでは、歯ブラシ、歯ブラシスタンドにカビが発生しやすく、又、虫、髪の毛、ほこり等が侵入しやすいという事があった。【０００５】  本考案は、このような従来の構成が有した問題を解決しようとするものであり、歯ブラシスタンドの素材をメッシュにし、蓋をし、箱型の形状の歯ブラシスタンドにすることを目的とするものである。
【課題を解決するための手段】
【０００６】  歯ブラシスタンド内の通気性を確保するため、正面板、背板、両側面、底板、両蓋をメッシュ素材で、箱型に形状にしている事を特徴としているメッシュで蓋の付いた歯ブラシスタンド。【０００７】  歯ブラシスタンドの両蓋を閉じると、内枠と外枠が接触してすき間をふさぐため、虫、髪の毛、ほこり等の侵入を防ぐことを特徴とする請求項１に記載のメッシュで蓋の付いた歯ブラシスタンド。【０００８】  使用に供する歯ブラシを歯ブラシ板に立てて収納でき、又、歯ブラシ板は、前後にスライドする事が出き、さらに、歯ブラシ板は、容易に着脱出来ることを特徴とする請求項１、又は請求項２に記載のメッシュで蓋の付いた歯ブラシスタンド。
【考案の効果】
【０００９】  本考案は上述のとおり構成されているので、次に記載する効果を奏する。【００１０】  使用に供する歯ブラシをメッシュで蓋の付いた歯ブラシスタンドの歯ブラシ板に立てたまま収納し、保管することにより、メッシュなので通気性が常に確保され、使用後の歯ブラシも短時間で容易に自然乾燥するため、歯ブラシ、歯ブラシスタンドのカビの発生を防ぐ事が出来る。又、両蓋を閉じる事により、内枠、外枠が接触し、すき間をふさぎ、虫、髪の毛、ほこりの侵入を防ぐ。衛生的であり、健康的であり、気持ちがさわやかに歯磨きをする事が出来る。
【図面の簡単な説明】
【００１１】
【図１】歯ブラシスタンドの正面図
【図２】歯ブラシを収納した図
【図３】歯ブラシスタンドの蓋を開けた状態の図
【考案を実施するための形態】
【００１２】  以下、本考案の実施形態を図１、２、３に基づいて説明する。
【００１３】  背板３、両側板４、５、正面板６、底板７、両蓋８、９で直方体の箱型を作成する。
【００１４】  正面板６の上部は正面開口部２（空間）とし、天井部１（空間）とする。
【００１５】  天井部を蓋８で、正面開口部を蓋９で、止め具１５、１６、１７、１８で止める。蓋８、蓋９が、開閉出来るようにする。蓋８、蓋９を開けた時、蓋８、蓋９は、中折れするので、場所をとらない。
【００１６】  背板３、両側板４、５、正面板６、底板７、蓋８、蓋９は、メッシュ素材とする。メッシュ素材と歯ブラシ板１０は体の安全を期するため、食品で使用されているポリエチレン、ポリプロピレン等を用いる。
【００１７】  歯ブラシ板１０に長方形の穴を切り抜き、歯ブラシを立てて保管出来る。
【００１８】  歯ブラシ板１０は、両側板４、５の内側に溝１１、１２を設け、スライド出来る。スライド板１０は容易に着脱出来るように、溝１１、１２を少し手前から上向きに設ける。
【符号の説明】
【００１９】１  天井部（空間）
２  正面開口部（空間）
３  背板
４、５  両側板
６  正面板
７  底板
８、９  両蓋
１０  歯ブラシ板
１１、１２  歯ブラシ板を支える溝
１３  内枠
１４  外枠
１５、１６、１７、１８  止め具
１９  取手
【図１】
0003214783.tif 000003
【図２】
0003214783.tif 000004
【図３】
0003214783.tif 000005
【手続補正書】
【提出日】平成29年8月1日(2017.8.1)
【手続補正１】
【補正対象書類名】図面
【補正対象項目名】全図
【補正方法】変更
【補正の内容】
【図１】
0003214783.tif 000006
【図２】
0003214783.tif 000007
【図３】
0003214783.tif 000008
【手続補正書】
【提出日】平成29年10月20日(2017.10.20)
【手続補正１】
【補正対象書類名】実用新案登録請求の範囲
【補正対象項目名】全文
【補正方法】変更
【補正の内容】
【実用新案登録請求の範囲】
【請求項１】
歯ブラシスタンドの背板、両側板、正面板、底板、及び両蓋がメッシュ素材であり、前記両蓋は、天井部の蓋８、正面開口部の蓋９から成り、箱型の形状にしている事を特徴としている、メッシュで蓋のついた歯ブラシスタンド。
【請求項２】
歯ブラシスタンドの天井部及び正面開口部の上端部の枠である内枠１３と天井部及び正面開口部の蓋の枠である外枠１４が接触して、すき間をふさぐため、虫、髪の毛、ほこりの侵入を防ぐことを特徴とする請求項１に記載のメッシュで蓋のついた歯ブラシスタンド。
【請求項３】
歯ブラシスタンドの歯ブラシ板１０に長方形の穴を切り抜き、歯ブラシを立てて保管出来、歯ブラシ板１０は、両側板４、５の内側に溝１１、１２を設けて、歯ブラシ板１０がスライドして着脱出来ることを特徴とする請求項１、又は請求項２に記載のメッシュで蓋のついた歯ブラシスタンド。
(57)【要約】      （修正有）【課題】木構造住宅が地震や台風に遭遇する場合の激しい揺れに起因するネジの緩み及びボルトの断裂というリスクを大幅に減少させることができる防振滑り止め座金を提供する。【解決手段】本体１と座金２を含み、座金２は中空円錐台構造であり、座金２の下表面円周に少なくとも二つの半円切欠５が均一に設けられる。座金２はリヘッド４を介して本体１に嵌合され、これと同時にリヘッド４は半円切欠５箇所及び本体１におけるリヘッド孔に位置している。座金２の下表面円周は本体１にきつく接触し、座金２の下表面円周に形成された中心円は本体１の中心円３と貫通し且つそのサイズが一致しており、座金２と本体１との間に緩衝隙間が形成されている。小皿型鋸歯と切込式防振滑り止め座金を増設することによって、木構造住宅が地震や台風に遭遇する場合の激しい揺れに起因するネジの緩み及びボルトの断裂というリスクを大幅に減少させる。【選択図】図１
0003214764.tif 000002
【実用新案登録請求の範囲】
【請求項１】
防振滑り止め座金であって、
本体と座金を含み、前記座金は中空円錐台構造であり、前記座金の下表面円周に二つ以上の半円切欠が均一に設けられ、
前記座金はリヘッドを介して前記本体に嵌合され、同時に前記リヘッドは前記半円切欠箇所及び前記本体におけるリヘッド孔に位置し、
前記座金の下表面円周は前記本体に緊密に接触し、前記座金の上表面円周で形成される中心円は前記本体の中心円と貫通し且つそのサイズは一致しており、前記座金と前記本体との間に隙間が形成されていることを特徴とする防振滑り止め座金。
【請求項２】
前記座金の上表面円周に環状小皿型鋸歯区域が設けられていることを特徴とする請求項１に記載の防振滑り止め座金。
【請求項３】
前記座金の上表面円周に前記半円切欠の数と同様な切込みが設けられていることを特徴とする請求項１に記載の防振滑り止め座金。
【請求項４】
前記本体は円形又は多角形構造であることを特徴とする請求項１に記載の防振滑り止め座金。
【考案の詳細な説明】
【技術分野】
【０００１】
本考案は、木構造接続用座金を開示し、特に防振滑り止め座金に関する。
【背景技術】
【０００２】
従来の木構造住宅の木材間の接続固定は、いずれも伝統的なボルト及び座金で締付け固定されるが、地震に遭遇する際に伝統的な座金が使用される木構造住宅は激しく揺れ、この過程で、伝統的な座金には弾性衝動及び滑り止めがないため、ボルトの緩み又は断裂を引き起こし、木構造住宅が傾斜ひいては倒れることが多発している。
【考案の概要】
【０００３】
従来の座金には、弾性衝動及び滑り止めがないため、ボルトの緩み又は断裂を引き起こし、木構造住宅が傾斜ひいては倒れる問題を解決するために、本考案は新規な防振滑り止め座金を提供する。
【０００４】
本考案で採用する技術的解決手段は、以下のとおりである。
防振滑り止め座金であって、本体と座金を含み、座金は中空円錐台構造であり、座金の下表面円周に二つ以上の半円切欠が均一に設けられている。
座金はリヘッドを介して本体に嵌合され、同時にリヘッドは半円切欠箇所及び本体におけるリヘッド孔に位置している。
座金の下表面円周は本体に緊密に接触し、座金の上表面円周で形成される中心円は本体の中心円と貫通し且つそのサイズは一致しており、座金と本体との間に隙間が形成されている。
【０００５】
好ましくは、座金の上表面円周に環状小皿型鋸歯区域が設けられている。
好ましくは、座金の上表面円周に半円切欠の数と同様な切込みが設けられている。
好ましくは、本体は円形又は多角形構造である。
【０００６】
本考案の有益な効果は以下のとおりである。
１．本考案は、構造が簡単で、設計が合理的であり、コストが低く、大規模に普及させて利用することができる。
２．本考案は、小皿型鋸歯と切込式防振滑り止め座金を増設することによって、木構造住宅が地震や台風に遭遇する場合の激しい揺れに起因するネジの緩み及びボルトの断裂というリスクを大幅に減少し、部屋の安全性及び耐用年数を大幅に向上させることができる。
３．本考案は、小皿型鋸歯と切込式防振滑り止め座金を増設することによって、ナットの緩みを防止することができ、小皿形は地震、強台風等の自然災害の場合に緩衝作用を果たすことができる。
【図面の簡単な説明】
【０００７】
【図１】図１は本防振滑り止め座金の構成を示す図である。
【図２】図２は本防振滑り止め座金の断面図である。
【図３】図３は本防振滑り止め座金実施例１の部分的な構成を示す図である。
【図４】図４は本防振滑り止め座金実施例２の部分的な構成を示す図である。
【考案を実施するための形態】
【０００８】
以下に図面と関連付けて本考案の技術的解決手段を更に詳しく、完全に説明する。
実施例１
図１、図２、図３に示すように、座金上面に環状小皿型鋸歯区７を有する防振滑り止め座金は、使用の際に、座金を位置付け、そしてボルトで締め付け、環状小皿型鋸歯区７は、ボルトヘッド部と互いに配合して、鋸歯区に生成された摩擦力によって固定され、同時に、防振滑り止め座金中央部の衝動隙間６が保障を提供して、衝撃がある時に座金には余裕があるようにし、転移ひいては破壊による木構造全体の崩壊を回避することができる。
【０００９】
実施例２
図１、図２、図４に示すように、座金上面に切込み９を有する防振滑り止め座金は、使用の際に、座金を位置付け、そしてボルトで締め付け、切込み９は、ボルトヘッド部と互いに配合して、鋸歯区に生成された摩擦力によって固定され、同時に、防振滑り止め座金中央部の衝動隙間６が保障を提供して、衝撃がある時に座金には余裕があるようにし、転移ひいては破壊による木構造全体の崩壊を回避することができる。
【００１０】
明らかなように、上記実施例は本考案の全部ではなく、その一部分であり、本考案に基づく実施例は、当業者が創造的な労働をしない前提で得られるいかなる他の実施例について、いずれも本考案の保護範囲に属する。
【符号の説明】
【００１１】
１  本体、２  座金、３  中心円、４  リヘッド、５  半円切欠、６  衝動隙間、７  環状小皿型鋸歯区、８  切込み区、９  切込み。
【図１】
0003214764.tif 000003
【図２】
0003214764.tif 000004
【図３】
0003214764.tif 000005
【図４】
0003214764.tif 000006
(57)【要約】      （修正有）【課題】種々の情報を広報または表示する表示ボードを提供する。【解決手段】本考案の表示ボードは、平板状の表示ボードの２つの表示面１以外の第一面と前記第一面に連続する表示面以外の第二面に磁石２、３を設置し、表示ボードが圧縮性発泡材からなっている。磁石が直接、被接着物に接触できるため、磁石の磁力を減ずることなく接着に使用できる上、表示ボードの表示面に対し２方向の磁石を有するために、単に特定の表示、広告を行うだけでなく、表示ボードの方向を変えることで、使用者の行為状況を伝えることが可能となる。【選択図】図１
0003214611.tif 000002
【実用新案登録請求の範囲】
【請求項１】
平板状の表示ボードの2つの表示面以外の第一面と前記第一面に連続する表示面以外の第二面に磁石を設置したことを特徴とする表示ボード。
【請求項２】
請求項１記載の表示ボードにおいて、前記表示ボードが圧縮性発泡材から
なることを特徴とする表示ボード。
【考案の詳細な説明】
【技術分野】
【０００１】
本考案は、種々の情報を広報または表示する表示ボードに関するものである。
【背景技術】
【０００２】
表示ボードを垂直に固定する場合、例えば特許文献１に開示されているように、表示ボード内部の相対する２面に磁石を設置するようになっていた。
【先行技術文献】
【特許文献】
【０００３】
【特許文献１】特開２０１３−８６３０７号公報
【考案の概要】
【考案が解決しようとする課題】
【０００４】
上記の特許文献１記載の表示ボードは、表示ボード内部の相対する２面に磁石を設置するようになっていたので、磁石による磁力がボード材を介することで弱まり、接着力が弱く、大きい表示ボードや重い表示ボードを安定して設置することができないという課題がある。また、磁石が表示ボードの表示面以外の相対する２面に設置されているだけなので、表示ボードの設置向きを変更できず、特定の表示、広告を行うだけの利用しかできないという課題がある。
【課題を解決するための手段】
【０００５】
本考案は、このような課題を鑑みてなされたものであり、上記課題を解決するために、平板状の表示ボードの2つの表示面以外の第一面と前記第一面に連続する表示面以外の第二面に磁石を設置しており、また、本表示ボードにおいて、前記表示ボードが圧縮性発泡材からなっている。
【考案の効果】
【０００６】
本考案の表示ボードは、平板状の表示ボードの2つの表示面以外の第一面と前記第一面に連続する表示面以外の第二面に磁石を設置しており、また、表示ボードが圧縮性発泡材からなっているために、磁石が直接、被接着物に接触できるため、磁石の磁力を減ずることなく接着に使用できる上、表示ボードの表示面に対し２方向の磁石を有するために、単に特定の表示、広告を行うだけでなく、表示ボードの方向を変えることで、使用者の行為状況を伝えることが可能となる効果がある。
【図面の簡単な説明】
【０００７】
【図１】本考案の１実施形態に係る表示ボードの正面図である。
【図２】本考案の１実施形態に係る表示ボードの側面図である。
【図３】本考案の１実施形態に係る表示ボードの設置方向を変更したときの正面図である。
【考案を実施するための形態】
【０００８】
以下、本考案の実施の形態について、図面を参照して説明する。図１は本考案の１実施形態に係る表示ボードの正面図で、図２は本考案の１実施形態に係る表示ボードの側面図、図３は本考案の１実施形態に係る表示ボード設置方向を変更したときの正面図である。
【０００９】
図１に示すように、本考案の１実施形態に係る表示ボードは２つある表示面と表示面以外の第一面と前記第一面に連続する表示面以外の第二面に磁石を設置しており、また、表示ボードが圧縮性発泡材からできている。
【実施例】
【００１０】
図１に示すように、本考案の１実施形態に係る表示ボードは、例えば「Ａ」という表示を表示する場合、被接着物（図示せず）に磁石２で接着させる。ここで「Ａ」はある作業を意味したとき、「Ａ」が正常に読める場合は、作業Ａは未了であるとし、図３に示すように表示ボードの磁石３で被接着物に接着させると、表示ボードは「Ａ」が図１の表示に対し、９０度回転して表示され、この場合、作業Ａは完了という表示になるとしておけば、１つの表示ボードで単に情報の表示、広告だけでなく、行為の状態を伝達できる利点がある。
【符号の説明】
【００１１】
１・・・表示面
１a・・ 表示面１
１b・・ 表示面２
２・・・磁石２
３・・・磁石３
【図１】
0003214611.tif 000003
【図２】
0003214611.tif 000004
【図３】
0003214611.tif 000005
(57)【要約】【課題】外観に面白みがあり、立体的で生き生きとした美感を有する立体エンボス模様を備えたメモ帳を提供すること。【解決手段】複数枚の表面に印刷がある、または印刷がない紙を重ねて成る直六面体のメモ帳１の側面１ａ及び／または端面１ｂに、立体エンボス模様１ｃの図案を形成してある。メモ帳１は、ブロックメモ、付箋、ノートのいずれかであって、厚みを１ｃｍ以上とすることができる。両側面１ａ及び前後端面１ｂを彩色してもよい。【選択図】図２
0003214619.tif 000002
【実用新案登録請求の範囲】
【請求項１】
立体エンボス模様を備えたメモ帳であって、複数枚の表面に印刷がある、または印刷がない紙を重ねて成る直六面体のメモ帳の側面及び／または端面に、立体エンボス模様の図案を形成したことを特徴とする、立体エンボス模様を備えたメモ帳。
【請求項２】
前記メモ帳が、ブロックメモであることを特徴とする、請求項１に記載の立体エンボス模様を備えたメモ帳。
【請求項３】
前記メモ帳が、付箋であることを特徴とする、請求項１に記載の立体エンボス模様を備えたメモ帳。
【請求項４】
前記メモ帳が、ノートであることを特徴とする、請求項１に記載の立体エンボス模様を備えたメモ帳。
【請求項５】
前記メモ帳の重ねた紙の厚みが高さ１ｃｍ以上であることを特徴とする、請求項１に記載の立体エンボス模様を備えたメモ帳。
【請求項６】
両側面及び前後端面が彩色されていることを特徴とする、請求項１に記載の立体エンボス模様を備えたメモ帳。
【考案の詳細な説明】
【技術分野】
【０００１】
本考案は、画像転写技術を利用して、デザインした画像の画像ファイルを成型に必要な形式のファイルに変換して機器設備に入力し、厚さ１ｃｍ以上のメモ帳（例：ブロックメモ、付箋、ノート等）の両側面または前後端面に、立体エンボス加工成型工程を実施し、立体エンボス模様で各種図案を表現することができる、立体エンボス模様を備えたメモ帳に関する。
【背景技術】
【０００２】
日常生活において、紙製品は非常に幅広く使用されており、特に、書き留めるために使用するメモ帳は欠かすことができないものである。メモ帳の分野において、ブロックメモは利便性が高く、手軽に素早く使用できる代表的なものである。
【０００３】
本考案の出願人はブロックメモの分野においてすでに数十年の経験があり、研究開発に尽力している。特に、特許の取得において優れた実績がある。
例えば、特許文献１に記載のブロックメモの構造、特許文献２に記載のメモ帳カバーの構造組成改良、特許文献３に記載の外観の一致性と立体効果を備えたブロックメモ構造、特許文献４に記載のブロックメモの構造改良、特許文献５に記載の磁気浮上装置を備えたブロックメモ座体及び容器、特許文献６に記載の多層斜め辺を備えたブロックメモなどがある。
【先行技術文献】
【特許文献】
【０００４】
【特許文献１】台湾実用新案登録公告第３３４９３６号明細書
【特許文献２】台湾実用新案登録公告第３５４０３３号明細書
【特許文献３】台湾実用新案登録公告第５３２２９３号明細書
【特許文献４】台湾実用新案登録公告第５３５７３１号明細書
【特許文献５】台湾実用新案登録証書第Ｍ２４９８３７号明細書
【特許文献６】台湾実用新案登録証書第２４９８２２号明細書
【考案の概要】
【考案が解決しようとする課題】
【０００５】
本考案が解決しようとする課題は、上記従来技術をさらに改良し、外観に面白みがあり、立体的で生き生きとした美感を有する立体エンボス模様を備えたメモ帳を提供することにある。
【課題を解決するための手段】
【０００６】
本考案の立体エンボス模様を備えたメモ帳は、複数枚の表面に印刷がある、または印刷がない紙を重ねて成る直六面体のメモ帳の側面及び／または端面に、立体エンボス模様の図案を形成してある。
前記メモ帳は、ブロックメモ、付箋、ノートのいずれかとすることができる。
前記メモ帳の重ねた紙の厚みを高さ１ｃｍ以上としてもよい。
両側面及び前後端面が彩色されていることがある。
【考案の効果】
【０００７】
本考案によれば、これまでの単調なメモ帳を変化させ、装飾性と新規な創造性がある立体的効果と、視覚的に生き生きとした楽しさをもたらすことができる。
【図面の簡単な説明】
【０００８】
【図１】本考案の立体エンボス模様を備えたメモ帳の製造工程を示すフローチャートである。
【図２】本考案の実施例１を示す立体エンボス模様を備えたメモ帳の斜視図である。
【図３】本考案の実施例２を示す立体エンボス模様を備えたメモ帳の斜視図である。
【図４】本考案の実施例３を示す立体エンボス模様を備えたメモ帳の斜視図である。
【図５】本考案の図案が異なる実施態様を示す立体エンボス模様を備えたメモ帳の斜視図である。
【図６】本考案のさらに図案が異なる実施態様を示す立体エンボス模様を備えたメモ帳の斜視図である。
【考案を実施するための形態】
【０００９】
以下、本考案の実施例を図面に基づいて詳細に説明する。
図２〜図４に示すように、本考案の立体エンボス模様を備えたメモ帳１は、複数枚の正面に印刷がある、または印刷がない紙を積み重ねて成る直六面体で、積層の厚みが１ｃｍ以上に達する。
また、メモ帳１の両側面１ａ及び／または前後端面１ｂには、立体エンボス模様１ｃが形成される。
図２に示す実施例１では、メモ帳１がブロックメモ１１であり、図３に示す実施例２では、メモ帳１が付箋１２であり、図４に示す実施例３では、メモ帳１がノート１３である。
【００１０】
本考案の立体エンボス模様を備えたメモ帳１は以下のように製造される。
図１に示すように、先ず、複数枚の同形、同寸法の紙を厚みが１ｃｍ以上に達するよう積み重ねて、直六面体のメモ帳１を用意する。
さらに、画像転写技術を利用するために、デザインした画像の画像ファイルを成型に必要な形式のファイルに変換して機器設備に入力する。
次いで、メモ帳１の両側面１ａまたは前後端面１ｂを器具で機器の作業エリアに固定して、メモ帳１の側面１ａ及び／または端面１ｂに、立体エンボス模様１ｃ（凹凸面を成す）の加工成型工程を実施する。ここで、側面１ａとは、紙の積層方向に沿う両側の対向する面であり、端面１ｂとは、紙の積層方向に沿い、側面１ａに直交する前後の面である。
必要な成型面を完成した後、印刷により立体面または平面の両側面及び前後端面に色づけする。
図５と図６に示すように、立体エンボス模様１ｃの図案は、動植物やアニメキャラクター、幾何学図形、数字、人物等のような各種図案を表現することができる。
【００１１】
以上は、本考案の実施例の説明であって、本考案の権利範囲を限定するものではなく、実用新案登録請求の範囲を逸脱しない変更や修飾はいずれも本考案の権利範囲に含まれる。
【符号の説明】
【００１２】
１        メモ帳
１１      ブロックメモ
１２      付箋
１３      ノート
１ａ      側面
１ｂ      端面
１ｃ      立体エンボス模様
【図１】
0003214619.tif 000003
【図２】
0003214619.tif 000004
【図３】
0003214619.tif 000005
【図４】
0003214619.tif 000006
【図５】
0003214619.tif 000007
【図６】
0003214619.tif 000008
(57)【要約】      （修正有）【課題】画像の任意部位が煌めく、写真パネルであって、且つ、錯視による立体視効果を有する写真パネルを提供する。【解決手段】錯視による立体視効果を有する煌めく写真パネル本体は、厚さ５ｍｍ程の透明アクリル板２を素材として、その周縁に沿って帯状に着色して縁枠３を設けると共に、縁枠３の更に内側に、連続模様を透かし彫りした中縁４を設け、さらには、該透明アクリル板２の背面に、順に、透明な印刷下地剤５を塗布し、原画像６をカラー印刷し、煌めかせたい任意の部位を切り出した画像７を透明な印刷下地剤で印刷し、前記の煌めかせたい任意の部位を切り出した画像７の印刷部分に金属粉８を擦り込み定着させて、再び原画像６をカラー印刷し、クリア塗装９を施した積層構造を有して、これらを合成して一体に成した。【選択図】図１
0003214652.tif 000002
【実用新案登録請求の範囲】
【請求項１】
錯視による立体視効果を有する煌めく写真パネル本体は、厚さ５ｍｍ程の透明アクリル板を素材として、その周縁に沿って帯状に着色して縁枠を設けると共に、縁枠の更に内側に、連続模様を透かし彫りした中縁を設け、さらには、該透明アクリル板の背面に、順に、透明な印刷下地剤を塗布し、原画像をカラー印刷し、煌めかせたい任意の部位を切り出した画像を透明な印刷下地剤で印刷し、前記の煌めかせたい任意の部位を切り出した画像の印刷部分に金属粉を擦り込み定着させて、再び原画像をカラー印刷し、クリア塗装を施した積層構造を有して、これらを合成して一体に成したことを特徴とする錯視による立体視効果を有する煌めく写真パネル。
【考案の詳細な説明】
【技術分野】
【０００１】  本考案は、写真パネルに関する。
【背景技術】
【０００２】  従来より、写真パネルは、画像を印画紙に印刷し、パネル状に成したものが一般的に知られている。【０００３】  しかしながら、このような写真パネルに於いては、花火やネオンなどの煌めきを色彩表現することが難しく、光沢処理やメタリックインク使用をする程度のものであった。【０００４】  そのため、臨場感や豪華さに欠け、さらには立体感にも劣る傾向にあった。
【考案の概要】
【考案が解決しようとする課題】
【０００５】  本考案は、上記従来有する問題点に鑑み、画像の任意部位が煌めく、写真パネルであって、且つ、錯視による立体視効果を有する写真パネルを提供しようとするものである。
【課題を解決するための手段】
【０００６】  錯視による立体視効果を有する煌めく写真パネル本体１は、厚さ５ｍｍ程の透明アクリル板２を素材として、その周縁に沿って帯状に着色して縁枠３を設けると共に、縁枠３の更に内側に、連続模様を透かし彫りした中縁４を設け、さらには、該透明アクリル板２の背面に、順に、透明な印刷下地剤５を塗布し、原画像６をカラー印刷し、煌めかせたい任意の部位を切り出した画像７を透明な印刷下地剤で印刷し、前記の煌めかせたい任意の部位を切り出した画像７の印刷部分に金属粉８を擦り込み定着させて、再び原画像６をカラー印刷し、クリア塗装９を施した積層構造を有して、これらを合成して一体に成した。
【考案の効果】
【０００７】  本考案によれば、これまで煌めきを表現することが難しかった花火やネオンなどの写真を臨場感ある豪華な写真パネルとすることが可能である。【０００８】  また、本考案によれば、錯視による立体視効果を有する写真パネル本体はアクリル板素材であることから、優れた耐久性・耐水性が期待できる。【０００９】  また、本考案によれば、写真印刷の任意部分に金属粉を擦り込み定着させたことで、乱反射による煌めき表現が期待できる。【００１０】  また、本考案によれば、アクリル板の厚みから生じるレンズ現象から、錯視による写真パネルの立体視効果が期待できる。【００１１】  また、本考案によれば、アクリル板に直接着色して設けた縁枠が周囲との区切りを作ることから、錯視による写真パネルの立体視効果が期待できる。【００１２】  また、本考案によれば、アクリル板に直接、連続模様を透かし彫りして設けた中縁が光の進行・屈折等に影響することから、錯視による写真パネルの立体視効果が期待できる。
【図面の簡単な説明】
【００１３】
【図１】  本考案に於ける、錯視による立体視効果を有する煌めく写真パネルの構造を説明する分解図である。
【図２】  本考案に於ける、錯視による立体視効果を有する煌めく写真パネルの正面図である。
【考案を実施するための形態】
【００１４】  以下、本考案の実施の形態について、図面を参照して説明する。
図１・図２に示すように、錯視による立体視効果を有する煌めく写真パネル本体１は、厚さ５ｍｍ程の透明アクリル板２を素材として、その周縁に沿って帯状に着色して縁枠３を設けると共に、縁枠３の更に内側に、連続模様を透かし彫りした中縁４を設け、さらには、該透明アクリル板２の背面に、順に、透明な印刷下地剤５を塗布し、原画像６をカラー印刷し、煌めかせたい任意の部位を切り出した画像７を透明な印刷下地剤で印刷し、前記の煌めかせたい任意の部位を切り出した画像７の印刷部分に金属粉８を擦り込み定着させて、再び原画像６をカラー印刷し、クリア塗装９を施した積層構造を有して、これらを合成して一体に成した。
【符号の説明】
【００１５】    １    錯視による立体視効果を有する煌めく写真パネル本体
２    透明なアクリル板
３    縁枠
４    中縁
５    透明な印刷下地剤
６    原画像
７    煌めかせたい任意の部位を切り出した画像
８    金属粉
９    クリア塗装
【図１】
0003214652.tif 000003
【図２】
0003214652.tif 000004
(57)【要約】      （修正有）【課題】シロッコファンタイプのレンジフードの逆止弁が風圧によって急激に閉まる際に起きる衝撃音を防ぎ、風圧の影響で壊れる事も無く、尚且つ従来のものより十分な排気が出来る様になるレンジフードとダクトの接続部材を提供する。【解決手段】レンジフードとダクト１０の接続部材であって、台座部分７と逆止弁内蔵部分１に分割できる構造を設け、台座部分と逆止弁内蔵部分は互いに嵌合し、逆止弁５の長手方向の一箇所を回転軸６を介して周方向に自在に回転させ、逆止弁が排気風の妨げにならない向きに取り付ける事が可能に構成されている。【選択図】図２
0003214653.tif 000002
【実用新案登録請求の範囲】
【請求項１】
レンジフードとダクトの接続部材であって、台座部分と逆止弁内蔵部分に分割できる構造を有し、該台座部分と該逆止弁内蔵部分はお互い嵌合により結合させ、逆止弁内蔵部分の長手方向の一箇所を周方向に自在に回転させ、逆止弁が排気風の妨げにならない向きに取り付ける事が可能なレンジフードとダクトの接続部材。
【考案の詳細な説明】
【技術分野】
【０００１】  本考案は、シロッコファンの回転で逆止弁が開くタイプのレンジフードと排気ダクトとの接続部に関するものである。
【背景技術】
【０００２】  従来のレンジフードとダクトを接続する継手は特許文献１に例示されるように、逆止弁の内蔵された部分をレンジフード側に取り付ける台座が一体となっている。しかしこのような形となっている継手では、逆止弁が排気風の妨げになるだけで無く、外風の吸い出しによって急激に閉まり衝撃音が睡眠を妨げ、逆止弁が排気風の風圧によって壊れてしまい、レンジフードの性能を生かしきれない欠点や課題があった。
【先行技術文献】
【特許文献】
【０００３】
【特許文献１】特開２０１２−２０７８１５号公報
【考案の概要】
【考案が解決しようとする課題】
【０００４】  レンジフードを使用していない時、外風が吹くと室内の空気が吸い出され逆止弁が急激に閉まることがあり、その際に大きな衝撃音を発生し、風圧の影響で逆止弁自体が壊れ、レンジフード本体から排気される空気はダクト接続継手を経由した後、ダクトを通って屋外に排出されるが、ダクトがカーブする向きは建物の設計に合わせ様々であるのにも関わらず、逆止弁が一定方向からのみ開くよう設計されていることが多く、逆止弁は垂直以上に開かないようにストッパーが付いているので、ダクトの排気方向によっては排気風の妨げになる欠点を解消しようとする為のものである。
【課題を解決するための手段】
【０００５】  本考案は、レンジフードとダクトの接続部材であって、台座部分と逆止弁内蔵部分に分割できる構造を有し、該台座部分と該逆止弁内蔵部分はお互い嵌合により結合させ、逆止弁内蔵部分の長手方向の一筒所を周方向に自在に回転させ、逆止弁が排気風の妨げにならない向きに取り付ける事が可能なレンジフードとダクトの接続部材を提供する。
【考案の効果】
【０００６】  上述の様に、本考案の全方位排気丸ダクト金具は外風の影響を受けたり取り付けた建物の設計、排気方向の違いによって換気能力に影響を受けることが無いので、レンジフードの能力を最大限に発揮する事が期待できる。
【図面の簡単な説明】
【０００７】
【図１】上述の構成部材を示す図である。
【図２】本考案の全方位排気対応丸ダクト金具の一実例を示す図である。
【考案を実施するための形態】
【０００８】  ７をレンジフードに固定し８、９にビスを止め１を嵌合により結合させ５の長手方向をダクトの排気方向に合わせる接続部の技術。
【実施例】
【０００９】台座をレンジフードに固定し、逆止弁内蔵部分を嵌合する際に排気風の妨げにならぬよう逆止弁の長手方向をダクトの排気方向に合わせた後、ダクトを接続し全ての接続部分をアルミテープで補強する。
【産業上の利用可能性】
【００１０】  マンション及び戸建て住居にはレンジフードが設置されるが、職務経験上逆止弁の開く向きが適切でない為に排気風の妨げになりレンジフードの換気能力を十分に発揮できないだけで無く、レンジフードを使用していない時に外風の影響を受け、逆止弁が勝手に開閉して衝撃音を発し、急激な風圧で逆止弁が壊れてしまう事がある。マンション及び戸建てのレンジフード施工時に、逆止弁が正しい向きに取り付けられておれば、後になってそれらの不具合の手直しの為に訪問する必要が無くなるので、産業上のコストを大きく減らす事が出来る。こういった問題が起こった時、現状では施工上の問題かレンジフードの製品の問題かの責任の所在が曖昧になっている部分が大きいと思われる。しかし、施工時に「全方位排気対応丸ダクト金具」が取り付けられ、施工方法もマニュアル化されるようになれば、上記の問題が起こった際に責任の所在を明確に出来るようにする効果が期待できる。
【符号の説明】
【００１１】１    逆止弁内蔵部分
２    係止環
３    ストッパー１
４    ストッパー２
５    逆止弁（チャッキ弁）
６    回転軸
７    台座部分
８    ビス穴１
９    ビス穴２
１０  ダクト
【図１】
0003214653.tif 000003
【図２】
0003214653.tif 000004
(57)【要約】      （修正有）【課題】ローリング作用を軽減させ、無駄な力が省け、運搬が容易になる三角バケツを提供する。【解決手段】略三角形状のバケツにして、体側面１を平面にする。運搬中の、左右への揺れを最小限にすることが出来る。更に吊手７の位置を体側に４分の１近づける。体力負担を減らす事ができる。体側面が平面になった事でこの面を壁面に付けて置くことにより、転倒リスクが大幅に減少させられ、スペースも取らなくなる。また三角形の頂点を漏斗３にする事で注ぎ受け口に入れ易くなり、作業性は格段に向上する。さらに液槽の液が少なくなった時、体側面を下にして吊手と底面に設けたフィンガーフック４を持って液を掬うと刀刃状になったエッジによるスクレーパー効果によりほぼ完璧に掬い取れる。【選択図】図１
0003214629.tif 000002
【実用新案登録請求の範囲】
【請求項１】
三角バケツ  比重の重い液体、粒，粉体等を運ぶ際、従来の丸形バケツより無駄な力が省け運搬が容易になる形状のバケツ
【請求項２】
持手を三角形の重心点の真上に来るようにセットする事で、持手が体側に限りなく近づけた形状、体側に付く側を平面にした。
【請求項３】
体側に付く側の反対側を三角形の頂点にして、注ぎ口、漏斗として液体を注ぎ易くした。
【請求項４】
底面は、円形にし、置いた時の安定性を維持させ、底面の強化。補強の為に応力外皮構造にし、その溝は深めにして手掛（フィンガーフック）として漏斗からの注ぎ作業を容易にし、また体側面を下方にして、液槽の液が少ない状態でも掬い取れる様に体側面上部（エッジ部）を刀刃状にし、効率よく吊手と、フィンガーフックで掬い取る事ができる。
【請求項５】
壁面に体側面が隙間無く付き安定性が増し場所を取らないし、転倒リスクを大幅に軽減できる。
【考案の詳細な説明】
【技術分野】
【０００１】本発明は、腕を体側に限りなく近づけて重量物を持つと支点から力点、作用点が離れないため無駄な力が省ける。
【背景技術】
【０００２】本発明は、三角形の重心点は、中線の２対１で在り吊手を重心点の真上に設けると、丸形バケツより４分の１体側に近付く事により無駄な力を省く事が出来る。
【先行技術文献】
【特許文献】
【０００３】公開実用新案公報
【特許文献１】平２−４３９５４  考案の名称  半バケツ
【特許文献２】特開２００７−５７７  発明の名称  防災バケツ
【考案の概要】
【考案が解決しようとする課題】
【０００４】従来からある丸形バケツは持つ人の体側と点で接するために歩く度に体側との摩擦で左右へのローリングしようとするのを打ち消そうとする余分な力が加わっている、また円形のため吊手が円の中心線上にあり、吊手を握る手の位置は体側より円の半径分体側から離れてしまう、そのため吊手が体側から離れた分だけバケツ本来の重さ以上の力が必要となってしまう、それに人間の生活空間は、箱型が多く円形バケツは安定性を欠き収納性や空間利用性が著しく悪い。半バケツは、従来の丸形バケツを半分に切りそれをフックで繋ぐ、台形型のバケツを半分にしてそれに水を満杯にすると半円方向に倒れてしまい実用性は難しい、また半バケツを合体させるフックが少ない液体を掬う際、邪魔する、また半バケツ単体で吊り上げると半円方向に傾き十分な液体を運ぶことは、かなり難しい、吊手を半円側に移し重心点の上にすると合体した時に繋いだ底部が開いてしまい現実的な使用には困難を要する、防災バケツは、災害時や消火時に特化したものであり重い液体等を運ぶ、注ぐ、置く、掬うと言う汎用性が乏しく、特に注ぐ事は困難で在りゴミ取りバケツの範疇と考える。
【課題を解決するための手段】
【０００５】バケツを三角形にすることで、体側側を平面にする事で体側と接する部分が面で接するので持ち運びの際、安定した状態で持つ事が出来、かつ三角形の重心は中線の２対１であるから重心点の真上に吊手が来るようにすると吊手を握る手の位置は限りなく体側に近づくし、体側面の上部エッジ部を刀刃状にし少ない液体、粒体、粉体等を吊手とフィンガーフックを持って掬い取る事が容易にでき、三角形の頂点を漏斗にした事で注ぎ受け口に吊手とフィンガーフックを持って完璧に注ぎ込みできる。
【考案の効果】
【０００６】バケツを三角形にしたことで従来の丸形バケツより体側に４分の１近づき余分な力を軽減することができ、更に体側面を平面にした事で持ち運び時の安定性と疲労力を軽減することが出来た事と、液槽の液が少量でも体側面を下にし、吊手とフィンガーフックを持って掬う事が出来、少量でも完璧に掬い取れる、また体側面を壁面に付けて置くと安定性が良くスペースをとらなくなった事と、三角形の頂点を漏斗にした事で注ぎ受け口に零さず注ぐ事が出来た。
【図面の簡単な説明】
【０００７】
【図１】展開図
【図２】裏展開図
【図３】正面図
【考案を実施するための形態】
【０００８】図１、図２、図３、、、に示す形態
【実施例】
【０００９】参考写真５、参考写真６は試作品で在り三角バケツの発明の効果、利点を実証する事ができた。
【産業上の利用可能性】
【００１０】建設現場におけるモルタル・水・砂・砂利・生コンクリート運搬それらを狭い場所に効率よく注ぐ、狭い水槽の中で水深が浅い状態や水中ポンプで吸いきれない残り水の掬い出し、【００１１】農作業の穀類、肥料、農薬、泥の運搬、それらを容器に移し替えることは、もとより高齢者が足元の悪い場所で水などを運ぶのに大いに、役立つと思う。【００１２】漁業、漁船への常設備品【００１３】学校、で教材（三角形の重心点を教える）消火用常設備品官公庁、一般企業、工事現場、旅館ホテル，等々消火用、災害時用常設備品【００１４】廃油処理、液体、粒体、粉体等の持ち運び、注ぎこみ
【符号の説明】
【００１５】図１
▲１▼体側面（平面）
▲２▼底面外側（応力外皮構造）
▲３▼漏斗
▲４▼手掛（フィンガーフック）
▲５▼吊元（三角形の重心点を通る体側面と平行する位置）
▲６▼体側面上部エッジ部容器内側に刀刃状になっている
▲７▼吊手金具
図２
図２−１
▲２▼応力外皮構造
▲４▼手掛（フィンガーフック）
図２−２
▲３▼漏斗
【図１】
0003214629.tif 000003
【図２】
0003214629.tif 000004
【図３】
0003214629.tif 000005
【手続補正書】
【提出日】平成29年11月7日(2017.11.7)
【手続補正１】
【補正対象書類名】実用新案登録請求の範囲
【補正対象項目名】全文
【補正方法】変更
【補正の内容】
【実用新案登録請求の範囲】
【請求項１】
バケツを略三角形にし、体側に接する部分を平面にすることで、丸形バケツに起こるローリング作用を軽減させ無駄な力が省け運搬が容易になることを特徴とする三角バケツ。
【請求項２】
持手を略三角形の重心点の真上に来るようにセットする事で、持手を体側に限りなく近づけた形状とする事を特徴とする請求項１に記載の三角バケツ。
【請求項３】
体側面の反対側を三角形の頂点にして、漏斗として液体、粒体を注ぎ易くしたことを特徴とする請求項１に記載の三角バケツ。
【請求項４】
底面は、円形の応力外皮構造であって、フィンガーフックとして漏斗からの注ぎ作業を容易にし、また液槽の液が少ない状態でも体側面を下方にして掬い取れる様に体側面の上部エッジ部を刀刃状にしたことを特徴とする請求項１に記載の三角バケツ。
(57)【要約】      （修正有）【課題】麻痺した腕および肩を包み、装着に違和感なく固定することができる左右対称の簡易腕吊具を提供する。【解決手段】簡易腕吊具は、正方形の布４の一方の対角線全長を含み、該対角線の両端に向かって先細るように裁断５し、縁かがりを施した上で、対角線で二つ折りにし、合わせ目の中央部分を縁に沿って縫い合わせて一部を筒状とした左右対称の形状を有する。左右どちらからでも腕を入れることができ、特別な知識のない人でも容易に装着可能である。また、麻痺側の肩および反対側の脇の下を通して背中で結ぶことができるため首や肩に負担をかけずに麻痺した腕全体を安定的に固定して支えることができる。【選択図】図２
0003214676.tif 000002
【実用新案登録請求の範囲】
【請求項１】
正方形の布の一方の対角線全長を含み、該対角線の両端に向かって先細るように裁断し、縁かがりを施した上で、前記対角線で二つ折りにし、合わせ目の中央部分を縁に沿って縫い合わせて一部を筒状とした左右対称の形状が特徴の簡易腕吊具。
【考案の詳細な説明】
【技術分野】
【０００１】
本考案は、麻痺した腕を吊もちした状態で保持するための、簡易腕吊具に関するものである。
【背景技術】
【０００２】
一般に、片腕が麻痺した場合には、三角巾やベルト付きアームホルダーなどの腕吊具で腕を吊り固定する方法が用いられている。
【考案の概要】
【考案が解決しようとする課題】
【０００３】
三角巾を用いて麻痺した腕を吊り固定した場合の問題点として、「上肢部を吊るだけでは麻痺した腕を安定的に固定することができない」、「腕を安定的に固定するためには胴体部に腕を密着させ縛り付ける必要があり窮屈である」、「三角巾の長辺と短辺の方向を正しく患部にあてる必要があり、適切に固定するには一定の知識が求められる」、「首の後ろで結んで麻痺した腕の重量を支えると首や肩に負担がかかる」等がある。一方、ベルト付きアームホルダーを用いる場合の問題点としては、「ベルトによる固定に耐えうる丈夫な素材で作られているため、肌あたりが硬く装着感が良くない」、「ベルトや肩当て、留め具などが付属しているため通常の衣類のように洗濯できない」等がある。本考案は、これらの課題を解決すべく、麻痺した腕および肩を包むことができる、左右対象の形状をした布製の簡易腕吊具を安価に提供することを目的とする。
【課題を解決するための手段】
【０００４】
本考案に係る簡易腕吊具は、１辺が約１００ｃｍの正方形の布を斜め方向に木の葉型に裁断し、縁かがりを施した上で、長径の中心線で２つ折りにし、合わせ目の中央部分約１５ｃｍを縫い合わせて一部を筒状とした形状で、左右対象の構造とすることにより問題を解決している。
【考案の効果】
【０００５】
上述のように、本考案の簡易腕吊具は、左右どちらからでも腕を入れることができ、特別な知識のない人でも容易に装着可能である。また、麻痺側の肩および反対側の脇の下を通して背中で結ぶことができるため首や肩に負担をかけずに麻痺した腕全体を安定的に固定して支えることができる。更に、バイアス地仕様であるため締め付け感がなく装着に違和感がない。市販の布のみで構成されているため通常の衣類と同様に洗濯が可能であるとともに、基礎的な縫製技術のみで制作することができるため安価に提供可能である。
【図面の簡単な説明】
【０００６】
【図１】本簡易腕吊具を少し開いた状態の側面図である。
【図２】本簡易腕吊具の製図である。
【図３】本簡易腕吊具の筒部分に麻痺した腕の上肢部を通した状態の図である。
【図４】本簡易腕吊具の装着方法説明の前面図である。
【図５】本簡易腕吊具の装着方法説明の背面図である。
【考案を実施するための形態】
【０００７】
図をもとに本簡易腕吊具の作成方法を説明する。図２のとおり、１辺が約１００ｃｍの正方形の布を斜め方向に木の葉型に裁断（木の葉型の長径は約１４０ｃｍ、短径は約５０ｃｍ）し、裁ち目かがりを施す。布の素材としては、二重ガーゼが最も装着感が良く適しており、使用者の年齢等に合わせた色柄の布を用いても良い。裁ち目かがりの方法としては、５ｍｍ程度の幅の三つ折りのほか、薄手のバイアステープでくるむ方法や、ミシンの裁ち目かがり機能を利用しても良い。長径の中心線で二つ折りにし、図１のとおり、合わせ目の中央部分約１５ｃｍを縫い合わせて一部を筒状とする。
【０００８】
図をもとに本簡易腕吊具の装着方法を説明する。図３のとおり、麻痺側の腕を筒の中に入れ、手首より先が筒口から見える状態にする。図４のとおり、筒に通した腕の肘側の布で肘から肩にかけて包んで背中に回し、手首側の布は、反対側の腕の脇下を通して背中に回す。図５のとおり、背中に回した左右の布端を背中上部で結ぶ。
【０００９】
背中に回した布の結び目の大きさで装着時の長さを調節できるため、同じサイズで幅広い体格の人に適用できるが、体格に合わせて本簡易腕吊具を異なるサイズで作成しても良い。この場合、裁断前の正方形の布の１辺の長さが、装着する人の身長の概ね３分の２となるようにする。
【符号の説明】
【００１０】
１  本簡易腕吊具本体
２  縁かがり
３  縫い合わせ部分
４  裁断前の正方形の布
５  裁断線
６  長径の中心線
７  背中上部の結び目
【図１】
0003214676.tif 000003
【図２】
0003214676.tif 000004
【図３】
0003214676.tif 000005
【図４】
0003214676.tif 000006
【図５】
0003214676.tif 000007